(57)【要約】【課題】ドライブボール等の接触面圧を低下でき、摩耗、損傷等を低減でき、耐久性に優れ、ドライブボールの接触点の回転方向への移動を低減でき、構成簡素で、量産に適し、コンパクトで、組立て易く、メンテナンス容易で、経済的なトルクリミターを提供する。【解決手段】ポケット部２を設けたハブ１と、係止溝１１を設けたドライブプレート１０と、過負荷保護機構とを備え、過負荷保護機構は、ボール収容凹部１６を設けたスライドプレート１５と、ドライブボール５と、バネホルダー２０と、連結杆２５と、バネ３０とを具備し、ボール収容凹部１６の内周側に第１傾斜面１７を、外周側に第２傾斜面１８を設け、第２傾斜面１８と対向表面との交差角度を、第１傾斜面１７と対向表面との交差角度より小さくし、ボール収容凹部１６は、放射方向の中心線に対して直交する面に於いて円弧溝状に形成して、ドライブボール５との接触面積が多くなるよう構成する。【選択図】        図１
2007327572.tif 000002
【特許請求の範囲】
【請求項１】
駆動原側の入力軸に外装固定されると共に、入力側回転体となるハブと、被駆動装置に連繋されると共に、ハブに対して回動自在となるように外装され且つ出力側回転体となるドライブプレートと、このドライブプレートとハブとを連繋する過負荷保護機構とを備え、駆動原側からの被駆動装置側へのトルク伝達時に於いて、被駆動装置側に過負荷が発生した際に、過負荷保護機構が作動して、ハブ側からドライブプレート側へのトルク伝達を遮断するように構成されたトルクリミターであって、前記過負荷保護機構は、ドライブプレートに対して所定間隔隔てた状態で対峙するよう配されると共に、ハブに回動自在に外装されるスライドプレートと、このスライドプレートとドライブプレートとの間に介装されるトルク伝達用の複数のドライブボールと、スライドプレートに対して所定間隔隔てた状態で対峙するよう配されると共に、ハブに回動自在に外装されるバネホルダーと、ドライブプレートとバネホルダーとを連結すると共に、スライドプレートを摺動自在に貫通する複数の連結杆と、スライドプレートとバネホルダーとの間に介装されて、スライドプレートをドライブプレート側に弾性的に常時圧迫するバネとを具備し、ハブの外周表面に円周方向に沿って複数のポケット部を配設し、このポケット部に対応すると共に、ドライブプレートの対向表面に放射方向に沿うような複数の係止溝を凹設し、ポケット部及び係止溝に対応すると共に、スライドプレートの対向表面に放射方向に沿うような複数のボール収容凹部を凹設し、ドライブボールは、係止溝及びボール収容凹部内を移動可能で且つポケット部内に係脱自在に収まるよう形成され、スライドプレートのボール収容凹部の内周側に第１傾斜面を設け、外周側に第２傾斜面を設け、前記第１傾斜面は、ポケット部に収容されているドライブボールを介してドライブプレートにトルク伝達が可能となるトルク伝達位置で、ドライブボールに接触するように形成され、前記第２傾斜面は、トルク伝達時に過負荷が発生した際に、ドライブボールがハブのポケット部から逸脱したトルク非伝達位置で、ドライブボールに接触するように形成され、ボール収容部の第２傾斜面を含む面とドライブプレートの対向表面を含む面との放射方向に於ける交差角度が、ボール収容部の第１傾斜面を含む面とドライブプレートの対向表面を含む面との放射方向に於ける交差角度より小さくなるように構成し、前記ボール収容凹部は、その放射方向の中心線に対して直交する面に於いて円弧溝状に形成され、ボール収容凹部とドライブボールとの接触面積が多くなるよう構成したことを特徴とするトルクリミター。
【発明の詳細な説明】
【技術分野】
【０００１】
本発明は、例えば、モータ及び原動機と被駆動装置の間に組込まれ、過負荷（オーバーロード）が被駆動側に生じた時に機械が破損するのを確実に防止できるようにしたトルクリミターに係り、特に、過負荷時やトルク伝達時（通常の負荷時）に於ける摩耗、損傷等をより低減できるように工夫されたトルクリミターに関するものである。
【背景技術】
【０００２】
従来のトルクリミターとしては、例えば、本願出願人により既に開示されている特許文献１に示すようなもの等がある。
【０００３】
そして、この特許文献１に示すトルクリミターは、駆動原側の出力軸に連結される入力側回転体と、被駆動装置の入力軸に連結されると共に、前記入力側回転体に対して回動自在となるように装着される出力側回転プレートと、駆動原側からの被駆動装置側へのトルク伝達時にあって、被駆動装置側に過負荷が発生した際に、駆動原側から被駆動装置側へのトルク伝達を遮断する過負荷保護機構とを備えたトルクリミターに於いて、前記過負荷保護機構は、出力側回転プレートの対向係止面に略放射方向に沿って配設される係止溝と、この係止溝に対応するように入力側回転体の係止フランジ外周縁に凹設されるポケット部と、前記係止溝内を移動可能で且つ前記ポケット部内に係脱自在に収まるトルク伝達用ボールと、出力側回転プレートの対向係止面に対峙するように配され、且つ前記トルク伝達用ボールに常時接触するコーンプレートと、このコーンプレートを常時出力側回転プレート側に弾性的に圧迫して、トルク伝達用ボールがコーンプレートで常時圧迫されるように配するバネとを具備し、コーンプレートのトルク伝達用ボールとの接触面に於いて、その内周側に第１傾斜面を設けると共に、その外周側に第２傾斜面を設け、前記第１傾斜面は、係止フランジからトルク伝達用ボールを介して出力側回転プレートにトルク伝達が可能となるトルク伝達位置で、トルク伝達用ボールに接触するように形成され、前記第２傾斜面は、トルク伝達時に過負荷が発生した際に、トルク伝達用ボールが係止フランジのポケット部から逸脱したトルク非伝達位置で、トルク伝達用ボールに接触するように形成され、第２傾斜面を含む面と出力側回転プレートの対向係止面を含む面との交差角度が、第１傾斜面を含む面と出力側回転プレートの対向係止面を含む面との交差角度より小さくなるように構成されたものである。
すなわち、そのコーンプレートの第１傾斜面や第２傾斜面は、例えば、図５のような傾斜状態に構成され、そして、トルク伝達用ボールは、例えば、図６のように第１傾斜面や第２傾斜面に接触するように構成されている。
【０００４】
【特許文献１】特開２００４−２３２７２５
【発明の開示】
【発明が解決しようとする課題】
【０００５】
そして、前述のトルクリミターにあっては、出力側回転プレート側に過負荷が発生して、入力側回転体の回転トルクの伝達が遮断されたとき、トルク伝達用ボールに、圧縮されたバネの強い弾発力が加えられないようになり、トルク伝達用ボールやコーンプレートの傾斜面が摩耗し難く、部品交換等を比較的頻繁に行わなくても済むようになった。
しかしながら、本願発明者は、これに満足することなく、より優れたトルクリミターを提供すべくその研究を継続していたものである。
すなわち、本発明は、トルク伝達がより確実に且つ安定的に行えて、過負荷が発生したときには、トルク伝達がより確実に遮断され、このとき、トルク伝達用ボール等の摩耗がより抑制でき、しかも、構成がより簡素で、より耐久性に優れ、メンテナンスが容易で、量産に適し、低廉で、経済的なトルクリミターを提供すべく創出されたものである。
【課題を解決するための手段】
【０００６】
しかして、本発明の請求項１記載のトルクリミターにあっては、駆動原側の入力軸に外装固定されると共に、入力側回転体となるハブ１と、被駆動装置に連繋されると共に、ハブ１に対して回動自在となるように外装され且つ出力側回転体となるドライブプレート１０と、このドライブプレート１０とハブ１とを連繋する過負荷保護機構とを備え、駆動原側からの被駆動装置側へのトルク伝達時に於いて、被駆動装置側に過負荷が発生した際に、過負荷保護機構が作動して、ハブ１側からドライブプレート１０側へのトルク伝達を遮断するように構成されたトルクリミターであって、前記過負荷保護機構は、ドライブプレート１０に対して所定間隔隔てた状態で対峙するよう配されると共に、ハブ１に回動自在に外装されるスライドプレート１５と、このスライドプレート１５とドライブプレート１０との間に介装されるトルク伝達用の複数のドライブボール５と、スライドプレート１５に対して所定間隔隔てた状態で対峙するよう配されると共に、ハブ１に回動自在に外装されるバネホルダー２０と、ドライブプレート１０とバネホルダー２０とを連結すると共に、スライドプレート１５を摺動自在に貫通する複数の連結杆２５と、スライドプレート１５とバネホルダー２０との間に介装されて、スライドプレート１５をドライブプレート１０側に弾性的に常時圧迫するバネ３０とを具備し、ハブ１の外周表面に円周方向に沿って複数のポケット部２を配設し、このポケット部２に対応すると共に、ドライブプレート１０の対向表面に放射方向に沿うような複数の係止溝１１を凹設し、ポケット部２及び係止溝１１に対応すると共に、スライドプレート１５の対向表面に放射方向に沿うような複数のボール収容凹部１６を凹設し、ドライブボール５は、係止溝１１及びボール収容凹部１６内を移動可能で且つポケット部２内に係脱自在に収まるよう形成され、スライドプレート１５のボール収容凹部１６の内周側に第１傾斜面１７を設け、外周側に第２傾斜面１８を設け、前記第１傾斜面１７は、ポケット部２に収容されているドライブボール５を介してドライブプレート１０にトルク伝達が可能となるトルク伝達位置で、ドライブボール５に接触するように形成され、前記第２傾斜面１８は、トルク伝達時に過負荷が発生した際に、ドライブボール５がハブ１のポケット部２から逸脱したトルク非伝達位置で、ドライブボール５に接触するように形成され、ボール収容部１６の第２傾斜面１８を含む面とドライブプレート１０の対向表面を含む面との放射方向に於ける交差角度が、ボール収容部１６の第１傾斜面１７を含む面とドライブプレート１０の対向表面を含む面との放射方向に於ける交差角度より小さくなるように構成し、前記ボール収容凹部１６は、その放射方向の中心線に対して直交する面に於いて円弧溝状に形成され、ボール収容凹部１６とドライブボール５との接触面積が多くなるよう構成する手段を採用した。
【発明の効果】
【０００７】
従って、本発明の請求項１記載のトルクリミターによれば、ハブ１からドライブプレート１０へのトルク伝達が確実に且つ安定的に行え、また、被駆動装置側に過負荷（オーバーロード）が生じた時に過負荷保護機構が作動して機械が破損するのを確実に防止できるようになる。
【０００８】
更に、ドライブプレート１０側に過負荷が発生して、ハブ１のトルク伝達が遮断されたときにあっては、ドライブボール５はスライドプレート１５の第２傾斜面１８に接触するようになるため、バネ３０の弾発力によってドライブボール５をハブ１に圧迫する力が低減されるようになり（加えて、ドライブボール５を圧迫するスライドプレート１５のバネ３０がわへの移動量を少なくでき、ひいては、バネ３０の反力の増加率を低減できて）、ドライブボール５やスライドプレート１５やハブ１やドライブプレート１０の摩耗を抑制できるようになり、その耐久性が向上するものとなる。
ひいては、摩耗した部分の部品交換等の回数も少なくなり、メンテナンスも容易となって、経済的なトルクリミターとなる。しかも、トルクリミター自体の構成が簡素で、量産に適し、低廉に提供できるようになる。
【０００９】
特に、ボール収容凹部１６は、その放射方向の中心線に対して直交する平面に於いて円弧溝状に形成され、ボール収容凹部１６とドライブボール５との接触面積が多くなるよう構成したので、ボール収容凹部１６に於けるスライドプレート１５と、ドライブボール５との接触面積が多くなり、ドライブボール５及びスライドプレート１５にかかる単位面積当たりの接触面圧を低下せしめられるようになり、ドライブボール５やスライドプレート１５の摩耗、損傷等をより低減でき、耐久性の優れたものとなる。
しかも、トルクリミター作動時に、スライドプレート１５とドライブボール５間のガタにより発生する第１傾斜面１７及び第２傾斜面１８とドライブボール５の接触点の回転方向への移動（ズレ）が低減できるようになる。
【００１０】
加えて、前記過負荷保護機構は、ドライブプレート１０に対して所定間隔隔てた状態で対峙するよう配されると共に、ハブ１に回動自在に外装されるスライドプレート１５と、このスライドプレート１５とドライブプレート１０との間に介装されるトルク伝達用の複数のドライブボール５と、スライドプレート１５に対して所定間隔隔てた状態で対峙するよう配されると共に、ハブ１に回動自在に外装されるバネホルダー２０と、ドライブプレート１０とバネホルダー２０とを連結すると共に、スライドプレート１５を摺動自在に貫通する複数の連結杆２５と、スライドプレート１５とバネホルダー２０との間に介装されて、スライドプレート１５をドライブプレート１０側に弾性的に常時圧迫するバネ３０とを具備しているので、過負荷保護機構の構成が簡素で、コンパクトに構成でき、組立て易く、取扱いが容易となり、メンテナンス等も簡単に行えるようになる。しかも、スライドプレート１５とバネホルダー２０は、連結杆２５を介してドライブプレート１０に取付けられた状態となり、トルクリミターの設置がより簡単に行えるものとなる。
【発明を実施するための最良の形態】
【００１１】
以下、本発明を図示例に基づいて説明すると、次の通りである。
本発明は、駆動原側となるモータや原動機と適宜被駆動装置の間に組込まれて、過負荷（オーバーロード）が被駆動装置側に生じた時に機械が破損するのを確実に防止でき、しかも、過負荷時及びトルク伝達時に於ける摩耗等をできる限り低減できるようにしたトルクリミターに係るものである。
すなわち、このトルクリミターは、駆動原側の入力軸に外装固定されると共に、入力側回転体となるハブ１と、被駆動装置に連繋されると共に、ハブ１に対して回動自在となるように外装され且つ出力側回転体となるドライブプレート１０と、このドライブプレート１０とハブ１とを連繋する過負荷保護機構とを備え、駆動原側からの被駆動装置側へのトルク伝達時に於いて、被駆動装置側に過負荷が発生した際に、過負荷保護機構が作動して、ハブ１側からドライブプレート１０側へのトルク伝達を遮断するように構成されたものである。
更に、前記過負荷保護機構は、ドライブプレート１０に対して所定間隔隔てた状態で対峙するよう配されると共に、ハブ１に回動自在に外装されるスライドプレート１５と、このスライドプレート１５とドライブプレート１０との間に介装されるトルク伝達用の複数のドライブボール５と、スライドプレート１５に対して所定間隔隔てた状態で対峙するよう配されると共に、ハブ１に回動自在に外装されるバネホルダー２０と、ドライブプレート１０とバネホルダー２０とを連結すると共に、スライドプレート１５を摺動自在に貫通する複数の連結杆２５と、スライドプレート１５とバネホルダー２０との間に介装されて、スライドプレート１５をドライブプレート１０側に弾性的に常時圧迫するバネ３０とを具備している。
そして、ハブ１の外周表面に円周方向に沿って複数のポケット部２を配設し、このポケット部２に対応すると共に、ドライブプレート１０の対向表面に放射方向に沿うような複数の係止溝１１を凹設し、ポケット部２及び係止溝１１に対応すると共に、スライドプレート１５の対向表面に放射方向に沿うような複数のボール収容凹部１６を凹設し、ドライブボール５は、係止溝１１及びボール収容凹部１６内を移動可能で且つポケット部２内に係脱自在に収まるよう形成されている。
しかも、スライドプレート１５のボール収容凹部１６の内周側に第１傾斜面１７を設け、外周側に第２傾斜面１８を設け、前記第１傾斜面１７は、ポケット部２に収容されているドライブボール５を介してドライブプレート１０にトルク伝達が可能となるトルク伝達位置で、ドライブボール５に接触するように形成され、前記第２傾斜面１８は、トルク伝達時に過負荷が発生した際に、ドライブボール５がハブ１のポケット部２から逸脱したトルク非伝達位置で、ドライブボール５に接触するように形成され、ボール収容部１６の第２傾斜面１８を含む面とドライブプレート１０の対向表面を含む面との放射方向に於ける交差角度が、ボール収容部１６の第１傾斜面１７を含む面とドライブプレート１０の対向表面を含む面との放射方向に於ける交差角度より小さくなるように構成してある。
また、前記ボール収容凹部１６は、その放射方向の中心線に対して直交する面に於いて円弧溝状に形成され、ボール収容凹部１６とドライブボール５との接触面積が多くなるよう構成されている。
【実施例】
【００１２】
前記ハブ１は、例えば、その内周表面にキー溝等を有する略円筒状に形成され、その外周表面の適宜位置（例えば、回転軸方向中央）に、複数のポケット部２が円周方向に沿って適宜間隔に凹設されている。そして、駆動原側の入力軸に外装固定され、入力軸と共に回転するように形成されている。
【００１３】
前記ポケット部２は、例えば、ドライブボール５の略半分弱程度を収容できて、過負荷が生じた時にドライブボール５が比較的スムーズに離脱できるようなテーパー穴状に形成されている。
【００１４】
図中３は、ハブ１の外周表面の所定位置に装着されるスナップリングで、このスナップリング３は、ハブ１の回転軸方向へのドライブプレート１０の移動を確実に阻止できるようにしたものである。また、図中４は、ブッシュである。
【００１５】
前記ドライブボール５は、例えば、適宜金属製で略完全球体状を呈し、その一部がドライブプレート１０の係止溝１１に常時収まり、他の一部がハブ１のポケット部２に係脱自在に収まり、更に、他の一部がドライブプレート１０のボール収容凹部１６に常時接触した状態となるように形成されている。
ところで、ドライブボール５（及び係止溝１１、ポケット部２、ボール収容凹部１６）は、その配設位置を自由に設定することができ、例えば、回転方向に於いて不規則な間隔に配置したり、或いは、等間隔に配置したりすることができる。
【００１６】
前記ドライブプレート１０は、例えば、その中心に円孔が設けられて、ハブ１の外周表面に回動自在となるよう外装可能な略厚肉円環板状に形成され、その対向表面（スライドプレート１５側表面）に複数の係止溝１１が放射方向に沿うように夫々凹設されている。
【００１７】
前記係止溝１１は、例えば、ドライブボール５の回転方向への移動を阻止すると共に、ドライブボール５の放射方向への移動をスムーズに行えるように形成されている。
尚、係止溝１１は、ドライブプレート１０の円孔の孔縁から外周縁のかなり手前まで凹設されるようになっている。
【００１８】
更に、ドライブプレート１０の対向表面側にはボルト固定部１２が複数（例えば、三ヵ所以上）設けられており、このボルト固定部１２は、例えば、雌ネジ孔で構成されると共に、円周方向に沿って等間隔に配されて、連結杆２５を簡単且つ確実に固定でき、しかも、バランス良く配置できるように形成されている。
【００１９】
前記スライドプレート１５は、例えば、その中心に円孔が設けられて、ハブ１の外周表面に回動自在となると共に、回転軸方向にスムーズに移動できるように外装可能な略厚肉円環板状に形成され、その対向表面（ドライブプレート１０側表面）に複数のボール収容凹部１６が放射方向に沿うように夫々凹設されている。
そして、対向表面側の外周縁部分には、ドライブプレート１０の外周縁外方を覆うような突出部分が周設されていると共に、ドライブプレート１０の対向表面に接近するように配してあり、ドライブボール５の囲撓空間が略密閉的となるように形成されている。すなわち、ドライブボール５の囲撓空間内にゴミ等が入り難くし、より正確な作動状態が期待できるようにしてある。
しかも、スライドプレート１５は、その背部（対向表面の反対側の面）からバネ３０の弾性圧迫力を常時受けるように構成されているが、ドライブプレート１０には接触しないように形成されている。
【００２０】
前記ボール収容凹部１６は、例えば、ドライブボール５の直径より僅かに大きい幅に形成されると共に、その放射方向の中心線に対して直交する面に於いて円弧溝状に形成されており、ボール収容凹部１６とドライブボール５との接触面積が多くなるよう構成されている。
すなわち、ボール収容凹部１６に於けるスライドプレート１５と、ドライブボール５との接触面積が多くなり、ドライブボール５及びスライドプレート１５にかかる単位面積当たりの接触面圧を低下せしめて、ドライブボール５やスライドプレート１５の摩耗、損傷等をより低減でき、耐久性の優れたものとなるよう形成されている。しかも、トルクリミター作動時に、スライドプレート１５とドライブボール５間のガタにより発生する第１傾斜面１７及び第２傾斜面１８とドライブボール５の接触点の回転方向への移動（ズレ）が低減できるよう形成されている。
【００２１】
尚、前述のことを図３乃至図６に基づいて説明すると、先ず、図３、図４の如くボール収容凹部１６（第１傾斜面１７及び第２傾斜面１８）を円弧溝状に形成したので、図５、図６の従来のタイプのスライドプレート（コーンプレート）に比べて、ドライブボール５とスライドプレート１５（ボール収容凹部１６）との接触面積が多くなり、接触面圧が低くなる。
【００２２】
具体的には、
Ｒ1 ：ドライブボール半径（ｍｍ）
Ｒ2 ：第１傾斜面及び第２傾斜面の円弧半径（ｍｍ）
Ｐ  ：荷重（ｋｇｆ）
Ｅ  ：縦弾性係数（ｋｇｆ／ｍｍ2）
Ｐ0 ：接触面圧（ｋｇｆ／ｍｍ2）
とすると、ヘルツの公式から次の数式（１）が成立する。
【数１】
2007327572.tif 000003
【００２３】
図４の如く本発明のボール収容凹部１６を円弧溝状に構成されたタイプのスライドプレート１５とドライブボール５の接触面圧（Ｐ0）は、ドライブボール５の半径（Ｒ1）を４ｍｍとし、ボール収容凹部１６（第１傾斜面１７及び第２傾斜面１８）の円弧半径（Ｒ2）を５ｍｍとし、ドライブボール５にかかる荷重（Ｐ）を１００ｋｇｆとすると、次の数式（２）となり、
【数２】
2007327572.tif 000004
【００２４】
一方、図６の如く従来タイプのスライドプレートとドライブボールの接触面圧（Ｐ0）は、ドライブボールの半径（Ｒ1）を４ｍｍとし、第１傾斜面及び第２傾斜面の円弧半径（Ｒ2）を２５ｍｍとし、ドライブボール５にかかる荷重（Ｐ）を１００ｋｇｆとすると、次の数式（３）となる。
【数３】
2007327572.tif 000005
【００２５】
よって、ドライブボール５とスライドプレート１５の接触面圧は、ボール収容凹部１６が円弧溝状に構成されたタイプ（数式２）の方が、従来タイプのもの（数式３）よりかなり低く（例えば、約４割弱）なる。
【００２６】
また、前記第１傾斜面１７は、例えば、ポケット部２に収容されているドライブボール５を介してドライブプレート１０にトルク伝達が可能となるトルク伝達位置で、ドライブボール５に接触するように形成されている。
【００２７】
前記第２傾斜面１８は、例えば、トルク伝達時に過負荷が発生した際に、ドライブボール５がハブ１のポケット部２から逸脱したトルク非伝達位置で、ドライブボール５に接触するように形成されている。
しかも、ボール収容部１６の第２傾斜面１８を含む面とドライブプレート１０の対向表面を含む面との放射方向に於ける交差角度が、ボール収容部１６の第１傾斜面１７を含む面とドライブプレート１０の対向表面を含む面との放射方向に於ける交差角度より小さくなるように構成してある。
【００２８】
前記摺動孔１９は、例えば、円孔状を呈し、ドライブプレート１０のボルト固定部１２に対応するようにスライドプレート１５に複数（例えば、三ヵ所以上）設けられており、連結杆２５がスムーズに摺動自在となるよう形成されている。しかも、この摺動孔１９は、例えば、円周方向に沿って等間隔に配されて、スライドプレート１５が連結杆２５を介してドライブプレート１０にバランス良く装着できるよう形成されている。
【００２９】
前記バネホルダー２０は、例えば、その中心に円孔が設けられて、ハブ１の外周表面に回動自在となるように外装可能な略円環板状に形成されている。
【００３０】
前記摺動孔２１は、例えば、円孔状を呈し、ドライブプレート１０のボルト固定部１２やスライドプレート１５の摺動孔１９に対応するようにバネホルダー２０に複数（例えば、三ヵ所以上）設けられており、連結杆２５がスムーズに摺動自在となるよう形成されている。しかも、この摺動孔２１は、例えば、円周方向に沿って等間隔に配されて、バネホルダー２０が連結杆２５を介してドライブプレート１０にバランス良く装着できるよう形成されている。
【００３１】
前記連結杆２５は、例えば、先端部分がボルト固定部１２に螺着可能な雄ネジ部となり、中央部分が摺動孔１９、２１に挿通可能な丸軸状となり、基端部分がボルト頭部状となるように形成され、バネホルダー２０とスライドプレート１５をドライブプレート１０に装着できるように形成されていれば良い。
【００３２】
前記バネ３０は、例えば、複数の皿バネ等によって構成されており、バネホルダー２０とスライドプレート１５との間に介装されて、スライドプレート１５をドライブプレート１０側に弾性的に圧迫できると共に、その圧迫力の調節等が安定して行えるものであれば良い。尚、バネ３０は、コイルスプリング状であっても良いし、その他適宜自由に設定できるものである。
【００３３】
ところで、トルクリミターの具体的構成、ハブ１の具体的構成、形状、寸法、材質、入力軸への具体的装着手段、ポケット部２の具体的構成、形状、寸法、数、配設位置、スナップリング３の具体的構成、形状、寸法、材質、配設位置、ブッシュ４の具体的構成、形状、寸法、材質、配設位置、ドライブボール５の具体的構成、形状、寸法、材質、数、配設位置、ドライブプレート１０の具体的構成、形状、寸法、材質、配設位置、係止溝１１の具体的構成、形状、寸法、数、配設位置、ボルト固定部１２の具体的構成、形状、寸法、数、配設位置、スライドプレート１５の具体的構成、形状、寸法、材質、配設位置、ボール収容凹部１６の具体的形状、寸法、数、配設位置、第１傾斜面１７の具体的構成、形状、寸法、第２傾斜面１８の具体的構成、形状、寸法、摺動孔１９の具体的構成、形状、寸法、数、配設位置、バネホルダー２０の具体的構成、形状、寸法、材質、配設位置、摺動孔２１の具体的構成、形状、寸法、数、配設位置、連結杆２５の具体的構成、形状、寸法、材質、数、配設位置、バネ３０の具体的構成、形状、寸法、材質、配設位置、数等は、図示例のもの等に限定されることなく適宜自由に設定、変更できるものである。
【図面の簡単な説明】
【００３４】
【図１】本発明のトルクリミターを例示する縦断側面図である。
【図２】本発明のトルクリミターを例示する部分拡大縦断側面図である。
【図３】本発明のトルクリミターのスライドプレートを例示する斜視図である。
【図４】本発明のトルクリミターのスライドプレートのボール収容部にドライブボールが収容されている状態を例示する部分断面図である。
【図５】従来のトルクリミターのスライドプレートを例示する斜視図である。
【図６】従来のトルクリミターのスライドプレートとドライブボールとの接触状態を例示する部分断面図である。
【符号の説明】
【００３５】
１      ハブ
２      ポケット部
３      スナップリング
４      ブッシュ
５      ドライブボール
１０    ドライブプレート
１１    係止溝
１２    ボルト固定部
１５    スライドプレート
１６    ボール収容凹部
１７    第１傾斜面
１８    第２傾斜面
１９    摺動孔
２０    バネホルダー
２１    摺動孔
２５    連結杆
３０    バネ
【図１】
2007327572.tif 000006
【図２】
2007327572.tif 000007
【図３】
2007327572.tif 000008
【図４】
2007327572.tif 000009
【図５】
2007327572.tif 000010
【図６】
2007327572.tif 000011